(57)【要約】【課題】エネルギ生成装置間のエネルギの搬送を制御するエネルギ搬送制御方法、エネルギ搬送制御システム、エネルギ搬送制御装置、コンピュータプログラム及び記録媒体を提供する。【解決手段】エネルギ生成装置４０の電力及び／又は温水の不足に関する不足情報をサーバ１０で受付け、不足分の電力及び／又は温水を供給するエネルギ生成装置４０をサーバ１０で選択し、サーバ１０から、前記選択したエネルギ生成装置４０に不足分の電力及び／又は熱媒体の供給指示を送信すると共に、前記不足が生じているエネルギ生成装置４０に不足分の電力及び／又は熱媒体の受取指示を送信して、エネルギ生成装置４０間で電力及び／又は温水の搬送を行わせる。【選択図】　　　　図１
2004007963.tif 000002
【特許請求の範囲】
【請求項１】
発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体の供給指示及び受取指示を送信して、エネルギ生成装置間で電力及び／又は熱媒体を搬送させるエネルギ搬送制御方法において、
エネルギ生成装置が生成すべき電力及び／又は熱媒体に基づく電力及び／又は熱媒体の不足に関する不足情報を情報処理装置で受付けるステップと、
不足分の電力及び／又は熱媒体を供給するエネルギ装置を情報処理装置で選択するステップと
を有し、選択したエネルギ生成装置に不足分の電力及び／又は熱媒体の供給指示を送信し、前記不足が生じているエネルギ生成装置に不足分の電力及び／又は熱媒体の受取指示を送信することを特徴とするエネルギ搬送制御方法。
【請求項２】
エネルギ生成装置の電力及び／又は熱媒体の余剰に関する余剰情報を情報処理装置で受付けるステップを有し、
前記選択するステップは、受付けた不足情報及び余剰情報に基づいて、不足分の電力及び／又は熱媒体を供給するエネルギ生成装置を選択することを特徴とする請求項１記載のエネルギ搬送制御方法。
【請求項３】
エネルギ生成装置の発電及び加熱の性能に関する情報が、記憶部に予め記憶されており、
前記選択するステップは、受付けた不足情報と前記性能、または受付けた不足情報及び余剰情報と前記性能とに基づいて、不足分の電力及び／又は熱媒体を供給するエネルギ生成装置を選択することを特徴とする請求項１又は２記載のエネルギ搬送制御方法。
【請求項４】
エネルギ生成装置が不足分の電力及び熱媒体の供給を行う条件が、記憶部に予め記憶されており、
前記選択するステップは、受付けた不足情報と前記条件、または受付けた不足情報及び余剰情報と前記条件とに基づいて、不足分の電力及び／又は熱媒体を供給するエネルギ生成装置を選択することを特徴とする請求項１又は２記載のエネルギ搬送制御方法。
【請求項５】
発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、
前記電力及び／又は熱媒体に対応する排水素又は水素の供給指示及び受取指示を情報処理装置から送信することを特徴とする請求項１〜４の何れかに記載のエネルギ搬送制御方法。
【請求項６】
エネルギ生成装置は、水素を貯蔵する水素貯蔵部を備えており、
受付けた不足情報及び余剰情報に基づいて、余剰分の熱媒体又は電力に対応する排水素又は水素を蓄積するエネルギ生成装置を情報処理装置で選択するステップと、
選択したエネルギ生成装置へ、余剰分の熱媒体又は電力に対応する排水素又は水素の貯蔵指示を情報処理装置から送信するステップと
を有することを特徴とする請求項５記載のエネルギ搬送制御方法。
【請求項７】
熱媒体用配管には熱媒体を貯蔵する熱媒体貯蔵部が接続され、水素配管には水素を貯蔵する水素貯蔵部が接続されており、
受付けた不足情報及び余剰情報に基づいて、余剰分の熱媒体又は電力に対応する排水素又は水素の蓄積、又は、余剰分の熱媒体の蓄積を行うエネルギ生成装置を情報処理装置で選択するステップと、
選択したエネルギ生成装置へ、余剰分の熱媒体又は電力に対応する排水素又は水素の排出指示、又は、余剰分の熱媒体の排出指示を情報処理装置から送信するステップと
を有することを特徴とする請求項５記載のエネルギ搬送制御方法。
【請求項８】
発電手段、及び、排熱を使用して熱媒体を加熱する加熱手段を有し、電力及び熱媒体を搬送する送電線及び熱媒体用配管に接続された複数のエネルギ生成装置へ、エネルギ搬送制御装置から、電力及び／又は熱媒体の供給指示及び受取指示を送信して、エネルギ生成装置間で電力及び／又は熱媒体を搬送させるエネルギ搬送制御システムにおいて、
エネルギ生成装置が生成すべき電力及び／又は熱媒体に基づく電力及び／又は熱媒体の不足に関する不足情報を受付ける受付手段と、
不足分の電力及び／又は熱媒体を供給するエネルギ装置を選択する選択手段とを備え、選択したエネルギ生成装置に不足分の電力及び／又は熱媒体の供給指示を送信し、前記不足が生じているエネルギ生成装置に不足分の電力及び／又は熱媒体の受取指示を送信すべくなしてあることを特徴とするエネルギ搬送制御システム。
【請求項９】
発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を送信して、エネルギ生成装置間で電力及び／又は熱媒体を搬送させるエネルギ搬送制御装置において、
エネルギ生成装置が生成すべき電力及び／又は熱媒体に基づく電力及び／又は熱媒体の不足に関する不足情報を受付ける受付手段と、
不足分の電力及び／又は熱媒体を供給するエネルギ装置を選択する選択手段とを備え、選択したエネルギ生成装置に不足分の電力及び／又は熱媒体の供給指示を送信し、前記不足が生じているエネルギ生成装置に不足分の電力及び／又は熱媒体の受取指示を送信すべくなしてあることを特徴とするエネルギ搬送制御装置。
【請求項１０】
前記受付手段は、エネルギ生成装置の電力及び／又は熱媒体の余剰に関する余剰情報を受付けるように構成され、
前記選択手段は、受付けた不足情報及び余剰情報に基づいて、不足分の電力及び／又は熱媒体を供給するエネルギ生成装置を選択するように構成されていることを特徴とする請求項９記載のエネルギ搬送制御装置。
【請求項１１】
エネルギ生成装置の発電及び加熱の性能に関する情報が記憶される記憶部を含み、
前記選択手段は、受付けた不足情報と前記性能、または受付けた不足情報及び余剰情報と前記性能とに基づいて、不足分の電力及び／又は熱媒体を供給するエネルギ生成装置を選択するように構成されていることを特徴とする請求項９又は１０記載のエネルギ搬送制御装置。
【請求項１２】
エネルギ生成装置が不足分の電力及び熱媒体の供給を行う条件が記憶される記憶部を含み、
前記選択手段は、受付けた不足情報と前記条件、または受付けた不足情報及び余剰情報と前記条件とに基づいて、不足分の電力及び／又は熱媒体を供給するエネルギ生成装置を選択するように構成されていることを特徴とする請求項９又は１０記載のエネルギ搬送制御装置。
【請求項１３】
発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、
前記電力及び／又は熱媒体に対応する排水素又は水素の供給指示及び受取指示を送信すべくなしてあることを特徴とする請求項９〜１２の何れかに記載のエネルギ搬送制御装置。
【請求項１４】
エネルギ生成装置は、水素を貯蔵する水素貯蔵部を備えており、
前記選択手段は、受付けた不足情報及び余剰情報に基づいて、余剰分の熱媒体又は電力に対応する排水素又は水素を蓄積するエネルギ生成装置を選択し、選択したエネルギ生成装置に、余剰分の熱媒体又は電力に対応する排水素又は水素の貯蔵指示を送信することを特徴とする請求項１３記載のエネルギ搬送制御装置。
【請求項１５】
熱媒体用配管には熱媒体を貯蔵する熱媒体貯蔵部が接続され、水素配管には水素を貯蔵する水素貯蔵部が接続されており、
前記選択手段は、受付けた不足情報及び余剰情報に基づいて、余剰分の熱媒体又は電力に対応する排水素又は水素の蓄積、又は、余剰分の熱媒体の蓄積を行うエネルギ生成装置を選択し、選択したエネルギ生成装置に、余剰分の熱媒体又は電力に対応する排水素又は水素の排出指示、又は、余剰分の熱媒体の排出指示を送信することを特徴とする請求項１３記載のエネルギ搬送制御装置。
【請求項１６】
発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を、コンピュータに送信させて、エネルギ生成装置間で電力及び／又は熱媒体を搬送させるコンピュータプログラムにおいて、
コンピュータに、エネルギ生成装置が生成すべき電力及び／又は熱媒体に基づく電力及び／又は熱媒体の不足に関する不足情報を受付けさせる手順と、
コンピュータに、不足分の電力及び／又は熱媒体を供給するエネルギ装置を選択させる手順と
を含み、コンピュータに、選択したエネルギ生成装置に不足分の電力及び／又は熱媒体の供給指示を送信させ、前記不足が生じているエネルギ生成装置に不足分の電力及び／又は熱媒体の受取指示を送信させることを特徴とするコンピュータプログラム。
【請求項１７】
コンピュータに、エネルギ生成装置の電力及び／又は熱媒体の余剰に関する余剰情報を受付けさせる手順を含み、
前記選択させる手順は、コンピュータに、受付けた不足情報及び余剰情報に基づいて、不足分の電力及び／又は熱媒体を供給するエネルギ生成装置を選択させることを特徴とする請求項１６記載のコンピュータプログラム。
【請求項１８】
コンピュータに、エネルギ生成装置の発電及び加熱の性能に関する情報を記憶される手順を含み、
前記選択させる手順は、コンピュータに、受付けた不足情報と前記性能、または受付けた不足情報及び余剰情報と前記性能とに基づいて、不足分の電力及び／又は熱媒体を供給するエネルギ生成装置を選択させることを特徴とする請求項１６又は１７記載のコンピュータプログラム。
【請求項１９】
コンピュータに、エネルギ生成装置が不足分の電力及び熱媒体の供給を行う条件を記憶させる手順を含み、
前記選択させる手順は、コンピュータに、受付けた不足情報と前記条件、または受付けた不足情報及び余剰情報と前記条件とに基づいて、不足分の電力及び／又は熱媒体を供給するエネルギ生成装置を選択させることを特徴とする請求項１６又は１７記載のコンピュータプログラム。
【請求項２０】
発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、
前記送信させる手順は、コンピュータに、前記電力及び／又は熱媒体に対応する排水素又は水素の供給指示及び受取指示を送信させることを特徴とする請求項１６〜１９の何れかに記載のコンピュータプログラム。
【請求項２１】
エネルギ生成装置は、水素を貯蔵する水素貯蔵部を備えており、
コンピュータに、受付けた不足情報及び余剰情報に基づいて、余剰分の熱媒体又は電力に対応する排水素又は水素を蓄積するエネルギ生成装置を選択させる手順と、
コンピュータに、選択したエネルギ生成装置に、余剰分の熱媒体又は電力に対応する排水素又は水素の貯蔵指示を送信させる手順と
を含むことを特徴とする請求項２０記載のコンピュータプログラム。
【請求項２２】
熱媒体用配管には熱媒体を貯蔵する熱媒体貯蔵部が接続され、水素配管には水素を貯蔵する水素貯蔵部が接続されており、
コンピュータに、受付けた不足情報及び余剰情報に基づいて、余剰分の熱媒体又は電力に対応する排水素又は水素の蓄積、又は、余剰分の熱媒体の蓄積を行うエネルギ生成装置を選択させる手順と、
コンピュータに、選択したエネルギ生成装置に、余剰分の熱媒体又は電力に対応する排水素又は水素の排出指示、又は、余剰分の熱媒体の排出指示を送信させる手順と
を含むことを特徴とする請求項２０記載のコンピュータプログラム。
【請求項２３】
発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を、コンピュータに送信させて、エネルギ生成装置間で電力及び／又は熱媒体を搬送させるコンピュータプログラムを記録してある、コンピュータでの読み取りが可能な記録媒体において、
コンピュータに、エネルギ生成装置が生成すべき電力及び／又は熱媒体に基づく電力及び／又は熱媒体の不足に関する不足情報を受付けさせる手順と、
コンピュータに、不足分の電力及び／又は熱媒体を供給するエネルギ装置を選択させる手順と
を含み、コンピュータに、選択したエネルギ生成装置に不足分の電力及び／又は熱媒体の供給指示を送信させ、前記不足が生じているエネルギ生成装置に不足分の電力及び／又は熱媒体の受取指示を送信させるコンピュータプログラムを記録してあることを特徴とするコンピュータでの読み取りが可能な記録媒体。
【発明の詳細な説明】
【０００１】
【発明の属する技術分野】
本発明は、エネルギ生成装置間のエネルギの搬送を制御するエネルギ搬送制御方法、エネルギ搬送制御システム及びエネルギ搬送制御装置と、エネルギ生成装置間のエネルギの搬送をコンピュータに制御させるプログラム及び該プログラムが記録された記録媒体に関する。
【０００２】
【従来の技術】
近年、エネルギの需要量が増加すると共に、環境問題への関心も高まっている。環境問題及び需要量増加の両方に対処するためには、エネルギの利用効率の向上が不可欠である。エネルギの利用効率を高める方法、特に発電時のエネルギの利用効率を高める方法としては、発電の際に生じる排熱を給湯又は暖房等に利用するコジェネレーションがある（例えば、特許文献１参照）。
【０００３】
【特許文献１】
特開２００２−２８９２１２号公報
【０００４】
【発明が解決しようとする課題】
コジェネレーションに使用されるエネルギ生成装置は、電力を生成する際に発生した熱を利用して温水又は蒸気を生成しているため、エネルギ利用効率は、通常の発電よりも高効率と考えられている。しかし、生成された電力及び温水が均等に使用されることは少なく、例えば電力だけを使用して温水を使用しないこと又は温水だけを使用して電力を使用しないことも多い。そのため、エネルギ生成装置の実際のエネルギ利用効率は、考えられているような高効率にはならない。また、太陽光発電を利用して温水を生成した場合であっても同様の問題が生じる。
【０００５】
本発明は斯かる事情に鑑みてなされたものであり、電力及び／又は熱媒体の不足に関する不足情報を受付け、不足分の電力及び／又は熱媒体を供給するエネルギ装置を選択して供給指示を送信すると共に、前記不足が生じているエネルギ生成装置に受取指示を送信することにより、供給指示を受付けたエネルギ生成装置から受取指示を受け付けたエネルギ生成装置へ、不足分のエネルギを搬送することができるエネルギ搬送制御方法、エネルギ搬送制御システム、エネルギ搬送制御装置、コンピュータプログラム及び記録媒体を提供することを目的とする。
【０００６】
また、本発明は、電力及び／又は熱媒体の余剰に関する余剰情報を受付け、受付けた不足情報及び余剰情報に基づいて、不足分の電力及び／又は熱媒体を供給するエネルギ生成装置を選択することにより、電力及び／又は熱媒体が余っているエネルギ生成装置から不足しているエネルギ生成装置へ、電力及び／又は熱媒体を搬送することができるエネルギ搬送制御方法、エネルギ搬送制御装置及びコンピュータプログラムを提供することを目的とする。
【０００７】
また、本発明は、エネルギ生成装置の発電及び加熱の性能に関する情報に基づいて、不足分の電力及び／又は熱媒体を供給するエネルギ生成装置を選択することにより、エネルギ生成装置の性能に応じて、他のエネルギ生成装置に供給する電力及び／又は熱媒体に制限を設けること等ができるエネルギ搬送制御方法、エネルギ搬送制御装置及びコンピュータプログラムを提供することを他の目的とする。
【０００８】
また、本発明は、エネルギ生成装置が不足分の電力及び熱媒体の供給を行う条件に基づいて、不足分の電力及び／又は熱媒体を供給するエネルギ生成装置を選択することにより、エネルギ生成装置の使用者の都合等に応じて、他のエネルギ生成装置に電力及び／又は熱媒体を供給する条件を設定することができるエネルギ搬送制御方法、エネルギ搬送制御装置及びコンピュータプログラムを提供することを更に他の目的とする。
【０００９】
また、本発明は、電力及び／又は熱媒体に対応する排水素又は水素の供給指示及び受取指示を送信することにより、電力及び熱媒体に比べて取り扱いが容易な排水素又は水素を用いて、電力及び／又は熱媒体の搬送を行うことができるエネルギ搬送制御方法、エネルギ搬送制御装置及びコンピュータプログラムを提供することを更に他の目的とする。
【００１０】
【課題を解決するための手段】
第１発明に係るエネルギ搬送制御方法は、発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体の供給指示及び受取指示を送信して、エネルギ生成装置間で電力及び／又は熱媒体を搬送させるエネルギ搬送制御方法において、エネルギ生成装置が生成すべき電力及び／又は熱媒体に基づく電力及び／又は熱媒体の不足に関する不足情報を情報処理装置で受付けるステップと、不足分の電力及び／又は熱媒体を供給するエネルギ装置を情報処理装置で選択するステップとを有し、選択したエネルギ生成装置に不足分の電力及び／又は熱媒体の供給指示を送信し、前記不足が生じているエネルギ生成装置に不足分の電力及び／又は熱媒体の受取指示を送信することを特徴とする。
【００１１】
第２発明に係るエネルギ搬送制御方法は、第１発明において、エネルギ生成装置の電力及び／又は熱媒体の余剰に関する余剰情報を情報処理装置で受付けるステップを有し、前記選択するステップは、受付けた不足情報及び余剰情報に基づいて、不足分の電力及び／又は熱媒体を供給するエネルギ生成装置を選択することを特徴とする。
【００１２】
第３発明に係るエネルギ搬送制御方法は、第１又は第２発明において、エネルギ生成装置の発電及び加熱の性能に関する情報が、記憶部に予め記憶されており、前記選択するステップは、受付けた不足情報と前記性能、または受付けた不足情報及び余剰情報と前記性能とに基づいて、不足分の電力及び／又は熱媒体を供給するエネルギ生成装置を選択することを特徴とする。
【００１３】
第４発明に係るエネルギ搬送制御方法は、第１又は第２発明において、エネルギ生成装置が不足分の電力及び熱媒体の供給を行う条件が、記憶部に予め記憶されており、前記選択するステップは、受付けた不足情報と前記条件、または受付けた不足情報及び余剰情報と前記条件とに基づいて、不足分の電力及び／又は熱媒体を供給するエネルギ生成装置を選択することを特徴とする。
【００１４】
第５発明に係るエネルギ搬送制御方法は、第１〜第４の何れかの発明において、発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、前記電力及び／又は熱媒体に対応する排水素又は水素の供給指示及び受取指示を情報処理装置から送信することを特徴とする。
【００１５】
第６発明に係るエネルギ搬送制御方法は、第５発明において、エネルギ生成装置は、水素を貯蔵する水素貯蔵部を備えており、受付けた不足情報及び余剰情報に基づいて、余剰分の熱媒体又は電力に対応する排水素又は水素を蓄積するエネルギ生成装置を情報処理装置で選択するステップと、選択したエネルギ生成装置へ、余剰分の熱媒体又は電力に対応する排水素又は水素の貯蔵指示を情報処理装置から送信するステップとを有することを特徴とする。
【００１６】
第７発明に係るエネルギ搬送制御方法は、第５発明において、熱媒体用配管には熱媒体を貯蔵する熱媒体貯蔵部が接続され、水素配管には水素を貯蔵する水素貯蔵部が接続されており、受付けた不足情報及び余剰情報に基づいて、余剰分の熱媒体又は電力に対応する排水素又は水素の蓄積、又は、余剰分の熱媒体の蓄積を行うエネルギ生成装置を情報処理装置で選択するステップと、選択したエネルギ生成装置へ、余剰分の熱媒体又は電力に対応する排水素又は水素の排出指示、又は、余剰分の熱媒体の排出指示を情報処理装置から送信するステップとを有することを特徴とする。
【００１７】
第８発明に係るエネルギ搬送制御システムは、発電手段、及び、排熱を使用して熱媒体を加熱する加熱手段を有し、電力及び熱媒体を搬送する送電線及び熱媒体用配管に接続された複数のエネルギ生成装置へ、エネルギ搬送制御装置から、電力及び／又は熱媒体の供給指示及び受取指示を送信して、エネルギ生成装置間で電力及び／又は熱媒体を搬送させるエネルギ搬送制御システムにおいて、エネルギ生成装置が生成すべき電力及び／又は熱媒体に基づく電力及び／又は熱媒体の不足に関する不足情報を受付ける受付手段と、不足分の電力及び／又は熱媒体を供給するエネルギ装置を選択する選択手段とを備え、選択したエネルギ生成装置に不足分の電力及び／又は熱媒体の供給指示を送信し、前記不足が生じているエネルギ生成装置に不足分の電力及び／又は熱媒体の受取指示を送信すべくなしてあることを特徴とする。
【００１８】
第９発明に係るエネルギ搬送制御装置は、発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を送信して、エネルギ生成装置間で電力及び／又は熱媒体を搬送させるエネルギ搬送制御装置において、エネルギ生成装置が生成すべき電力及び／又は熱媒体に基づく電力及び／又は熱媒体の不足に関する不足情報を受付ける受付手段と、不足分の電力及び／又は熱媒体を供給するエネルギ装置を選択する選択手段とを備え、選択したエネルギ生成装置に不足分の電力及び／又は熱媒体の供給指示を送信し、前記不足が生じているエネルギ生成装置に不足分の電力及び／又は熱媒体の受取指示を送信すべくなしてあることを特徴とする。
【００１９】
第１０発明に係るエネルギ搬送制御装置は、第９発明において、前記受付手段は、エネルギ生成装置の電力及び／又は熱媒体の余剰に関する余剰情報を受付けるように構成され、前記選択手段は、受付けた不足情報及び余剰情報に基づいて、不足分の電力及び／又は熱媒体を供給するエネルギ生成装置を選択するように構成されていることを特徴とする。
【００２０】
第１１発明に係るエネルギ搬送制御装置は、第９又は第１０発明において、エネルギ生成装置の発電及び加熱の性能に関する情報が記憶される記憶部を含み、前記選択手段は、受付けた不足情報と前記性能、または受付けた不足情報及び余剰情報と前記性能とに基づいて、不足分の電力及び／又は熱媒体を供給するエネルギ生成装置を選択するように構成されていることを特徴とする。
【００２１】
第１２発明に係るエネルギ搬送制御装置は、第９又は第１０発明において、エネルギ生成装置が不足分の電力及び熱媒体の供給を行う条件が記憶される記憶部を含み、前記選択手段は、受付けた不足情報と前記条件、または受付けた不足情報及び余剰情報と前記条件とに基づいて、不足分の電力及び／又は熱媒体を供給するエネルギ生成装置を選択するように構成されていることを特徴とする。
【００２２】
第１３発明に係るエネルギ搬送制御装置は、第９〜第１２の何れかの発明において、発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、前記電力及び／又は熱媒体に対応する排水素又は水素の供給指示及び受取指示を送信すべくなしてあることを特徴とする。
【００２３】
第１４発明に係るエネルギ搬送制御装置は、第１３発明において、エネルギ生成装置は、水素を貯蔵する水素貯蔵部を備えており、前記選択手段は、受付けた不足情報及び余剰情報に基づいて、余剰分の熱媒体又は電力に対応する排水素又は水素を蓄積するエネルギ生成装置を選択し、選択したエネルギ生成装置に、余剰分の熱媒体又は電力に対応する排水素又は水素の貯蔵指示を送信することを特徴とする。
【００２４】
第１５発明に係るエネルギ搬送制御装置は、第１３発明において、熱媒体用配管には熱媒体を貯蔵する熱媒体貯蔵部が接続され、水素配管には水素を貯蔵する水素貯蔵部が接続されており、前記選択手段は、受付けた不足情報及び余剰情報に基づいて、余剰分の熱媒体又は電力に対応する排水素又は水素の蓄積、又は、余剰分の熱媒体の蓄積を行うエネルギ生成装置を選択し、選択したエネルギ生成装置に、余剰分の熱媒体又は電力に対応する排水素又は水素の排出指示、又は、余剰分の熱媒体の排出指示を送信することを特徴とする。
【００２５】
第１６発明に係るコンピュータプログラムは、発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を、コンピュータに送信させて、エネルギ生成装置間で電力及び／又は熱媒体を搬送させるコンピュータプログラムにおいて、コンピュータに、エネルギ生成装置が生成すべき電力及び／又は熱媒体に基づく電力及び／又は熱媒体の不足に関する不足情報を受付けさせる手順と、コンピュータに、不足分の電力及び／又は熱媒体を供給するエネルギ装置を選択させる手順とを含み、コンピュータに、選択したエネルギ生成装置に不足分の電力及び／又は熱媒体の供給指示を送信させ、前記不足が生じているエネルギ生成装置に不足分の電力及び／又は熱媒体の受取指示を送信させることを特徴とする。
【００２６】
第１７発明に係るコンピュータプログラムは、第１６発明において、コンピュータに、エネルギ生成装置の電力及び／又は熱媒体の余剰に関する余剰情報を受付けさせる手順を含み、前記選択させる手順は、コンピュータに、受付けた不足情報及び余剰情報に基づいて、不足分の電力及び／又は熱媒体を供給するエネルギ生成装置を選択させることを特徴とする。
【００２７】
第１８発明に係るコンピュータプログラムは、第１６又は第１７発明において、コンピュータに、エネルギ生成装置の発電及び加熱の性能に関する情報を記憶される手順を含み、前記選択させる手順は、コンピュータに、受付けた不足情報と前記性能、または受付けた不足情報及び余剰情報と前記性能とに基づいて、不足分の電力及び／又は熱媒体を供給するエネルギ生成装置を選択させることを特徴とする。
【００２８】
第１９発明に係るコンピュータプログラムは、第１６又は第１７発明において、コンピュータに、エネルギ生成装置が不足分の電力及び熱媒体の供給を行う条件を記憶させる手順を含み、前記選択させる手順は、コンピュータに、受付けた不足情報と前記条件、または受付けた不足情報及び余剰情報と前記条件とに基づいて、不足分の電力及び／又は熱媒体を供給するエネルギ生成装置を選択させることを特徴とする。
【００２９】
第２０発明に係るコンピュータプログラムは、第１６〜第１９の何れかの発明において、発電手段は、水素が供給され、発電過程で排水素を生成するように構成され、加熱手段は、排水素又は水素を使用して熱媒体を加熱するように構成され、エネルギ生成装置は、排水素又は水素を搬送する水素配管に接続されており、前記送信させる手順は、コンピュータに、前記電力及び／又は熱媒体に対応する排水素又は水素の供給指示及び受取指示を送信させることを特徴とする。
【００３０】
第２１発明に係るコンピュータプログラムは、第２０発明において、エネルギ生成装置は、水素を貯蔵する水素貯蔵部を備えており、コンピュータに、受付けた不足情報及び余剰情報に基づいて、余剰分の熱媒体又は電力に対応する排水素又は水素を蓄積するエネルギ生成装置を選択させる手順と、コンピュータに、選択したエネルギ生成装置に、余剰分の熱媒体又は電力に対応する排水素又は水素の貯蔵指示を送信させる手順とを含むことを特徴とする。
【００３１】
第２２発明に係るコンピュータプログラムは、第２０発明において、熱媒体用配管には熱媒体を貯蔵する熱媒体貯蔵部が接続され、水素配管には水素を貯蔵する水素貯蔵部が接続されており、コンピュータに、受付けた不足情報及び余剰情報に基づいて、余剰分の熱媒体又は電力に対応する排水素又は水素の蓄積、又は、余剰分の熱媒体の蓄積を行うエネルギ生成装置を選択させる手順と、コンピュータに、選択したエネルギ生成装置に、余剰分の熱媒体又は電力に対応する排水素又は水素の排出指示、又は、余剰分の熱媒体の排出指示を送信させる手順とを含むことを特徴とする。
【００３２】
第２３発明に係る記録媒体は、発電手段、及び、排熱を使用して熱媒体を加熱する加熱手段を有し、電力及び熱媒体を搬送する送電線及び熱媒体用配管に接続された複数のエネルギ生成装置へ、電力及び／又は熱媒体の供給指示及び受取指示を、コンピュータに送信させて、エネルギ生成装置間で電力及び／又は熱媒体を搬送させるコンピュータプログラムを記録してある、コンピュータでの読み取りが可能な記録媒体において、コンピュータに、エネルギ生成装置が生成すべき電力及び／又は熱媒体に基づく電力及び／又は熱媒体の不足に関する不足情報を受付けさせる手順と、コンピュータに、不足分の電力及び／又は熱媒体を供給するエネルギ装置を選択させる手順とを含み、コンピュータに、選択したエネルギ生成装置に不足分の電力及び／又は熱媒体の供給指示を送信させ、前記不足が生じているエネルギ生成装置に不足分の電力及び／又は熱媒体の受取指示を送信させるコンピュータプログラムを記録してあることを特徴とする。
【００３３】
第１，第８，第９，第１６，第２３発明においては、エネルギ生成装置の電力及び／又は熱媒体の不足に関する不足情報を受付け、不足分の電力及び／又は熱媒体を供給するエネルギ装置を選択し、選択したエネルギ生成装置に不足分の電力及び／又は熱媒体の供給指示を送信すると共に、前記不足が生じているエネルギ生成装置に不足分の電力及び／又は熱媒体の受取指示を送信する。供給指示を受付けたエネルギ生成装置は、指示された不足分の電力及び／又は熱媒体を、送電線及び／又は熱媒体用配管に供給する。また、受取供給指示を受付けたエネルギ生成装置は、指示された不足分の電力及び／又は熱媒体を、送電線及び／又は熱媒体用配管から受取る。
【００３４】
第２，第１０，第１７発明においては、エネルギ生成装置の電力及び／又は熱媒体の余剰に関する余剰情報を受付け、受付けた不足情報及び余剰情報に基づいて、不足分の電力及び／又は熱媒体を供給するエネルギ生成装置を選択する。電力及び／又は熱媒体が余っているエネルギ生成装置を選択して、供給指示を与えることにより、電力及び／又は熱媒体が余っているエネルギ生成装置から不足しているエネルギ生成装置へ、電力及び／又は熱媒体を搬送することができる。
【００３５】
第３，第１１，第１８発明においては、エネルギ生成装置の発電及び加熱の性能に関する情報を予め記憶部に記憶しておき、受付けた不足情報と前記性能、または受付けた不足情報及び余剰情報と前記性能とに基づいて、不足分の電力及び／又は熱媒体を供給するエネルギ生成装置を選択する。エネルギ生成装置は、装置毎に供給可能な電力又は温水等が異なるため、性能に応じて、他のエネルギ生成装置に供給する電力及び／又は熱媒体に制限を設けることができる。例えば、余剰が同じ場合は、性能の高いエネルギ生成装置を選択すること等ができる。
【００３６】
第４，第１２，第１９発明においては、エネルギ生成装置が不足分の電力及び熱媒体の供給を行う条件が予め記憶部に記憶されており、受付けた不足情報と前記条件、または受付けた不足情報及び余剰情報と前記条件とに基づいて、不足分の電力及び／又は熱媒体を供給するエネルギ生成装置を選択する。エネルギ生成装置は、例えば各家庭に設けられており、家庭毎に使用及び課金されているため、家庭の事情に応じて、他のエネルギ生成装置への電力及び／又は熱媒体の供給を行う条件を設定したり、供給を行わない条件を設定すること等ができる。例えば、課金が所定料金を超えない範囲で他のエネルギ生成装置に電力及び／又は熱媒体を供給するように条件を設定することができる。
【００３７】
第５，第１３，第２０発明においては、前記電力及び／又は熱媒体に対応する排水素又は水素の供給指示及び受取指示を送信する。ただし、発電手段は、水素が供給されると共に発電過程で排水素を生成し、加熱手段は、排水素又は水素を使用して熱媒体を加熱し、エネルギ生成装置は、排水素又は水素を搬送する水素配管に接続されている。排水素又は水素は、発電手段に供給して電力を生成したり、加熱手段に供給して熱媒体の加熱に使用できるため、電力及び熱媒体の代用として排水素又は水素を搬送することが可能である。電力及び熱媒体に比べて取り扱いが容易な排水素又は水素を用いて、電力及び／又は熱媒体の搬送を行うことができる。
【００３８】
第６、第１４又は第２１発明においては、エネルギ生成装置は、水素を貯蔵する水素貯蔵部を備えている。不足情報及び余剰情報に基づいて、余剰分の熱媒体又は電力に対応する排水素又は水素を蓄積するエネルギ生成装置を選択する。また、選択したエネルギ生成装置に、余剰分の熱媒体又は電力に対応する排水素又は水素の貯蔵指示を送信する。貯蔵指示を受付けたエネルギ生成装置は、余剰分の熱媒体又は電力に対応する排水素又は水素を、水素貯蔵部に貯蔵する。水素貯蔵部に貯蔵された排水素又は水素は、熱媒体又は電力が不足するエネルギ生成装置が使用することが可能である。
【００３９】
第７、第１５又は第２２発明においては、熱媒体用配管には熱媒体を貯蔵する熱媒体貯蔵部が接続され、水素配管には水素を貯蔵する水素貯蔵部が接続されている。不足情報及び余剰情報に基づいて、余剰分の熱媒体又は電力に対応する排水素又は水素の蓄積、又は、余剰分の熱媒体の蓄積を行うエネルギ生成装置を選択する。また、選択したエネルギ生成装置に、余剰分の熱媒体又は電力に対応する排水素又は水素の排出指示、又は、余剰分の熱媒体の排出指示を送信する。排出指示を受付けたエネルギ生成装置は、余剰分の熱媒体又は電力に対応する排水素又は水素を排出して水素貯蔵部に蓄積したり、余剰分の熱媒体を排出して熱媒体貯蔵部に蓄積することが可能である。水素貯蔵部に蓄積された排水素又は水素は、熱媒体又は電力が不足するエネルギ生成装置が使用することが可能である。また、熱媒体貯蔵部に蓄積された熱媒体は、熱媒体が不足するエネルギ生成装置が使用することが可能である。
【００４０】
【発明の実施の形態】
以下、本発明をその実施の形態を示す図面に基づいて具体的に説明する。
図１に本発明に係るエネルギ搬送制御装置（サーバ１０）を含むエネルギ搬送制御システムの例を示す。図１においては、サーバ１０と、複数のユーザ宅に設けられた通信装置７２とが、インターネット等の通信ネットワーク７４に接続されている。
【００４１】
ユーザ宅の通信装置７２には、パーソナルコンピュータ等のユーザ端末７０と、コジェネレーション装置等のエネルギ生成装置４０とが接続されている。エネルギ生成装置４０は、本説明においては、１０ｋＷ以下の定格発電出力が可能である。エネルギ生成装置４０は、図２に示すように、電力及び熱（温水）を生成するエネルギ生成部４２と、通信装置７２との通信制御を行う通信Ｉ／Ｆ８２と、エネルギ生成部４２及び通信Ｉ／Ｆ８２の制御を含む各種処理を実行する制御部８０とを備える。エネルギ生成装置４０は、通信装置７２を介してサーバ１０と通信を行うことが可能である。
【００４２】
エネルギ生成部４２の例を図３に示す。エネルギ生成部４２は、ＰＥＦＣ（固体高分子電解質型燃料電池）又はＳＯＦＣ（固体電解質型燃料電池）等の燃料電池（発電手段）２０を備え、燃料電池２０の発電時の排熱を使用して、電力及び温水（加熱された熱媒体）を生成する。燃料電池２０は、燃料改質装置４６から浄化水素が供給されると共に、空気供給装置４４から空気が供給され、直流電力，排空気及び排水素を生成する。
【００４３】
生成された直流電力は、変換装置２２で交流電力に変換され、分電盤５４を介してユーザ宅内に供給（Ｓから入力、Ｔから出力）される。生成された排空気は、排熱回収装置（加熱手段）２４に送られ、貯湯槽２６の水の加熱に使用される。加熱された温水は、３方弁５０を介してユーザ宅内に供給（αから入力、βから出力）される。また、生成された排水素は、３方弁３０を介して燃料改質装置４６へ送られ（ａから入力、ｂから出力）、浄化水素として再使用される。
【００４４】
分電盤５４は、配電網（送電線）６２に接続されている。制御部８０により、分電盤５４を制御して、生成した電力（交流電力）を配電網６２に供給（Ｓから入力、Ｕから出力）したり、配電網６２から電力を受取ってユーザ宅内に供給（Ｕから入力、Ｔから出力）することが可能である。
【００４５】
３方弁５０は、ポンプ５２を介して温水配管網（熱媒体用配管）６４に接続されている。制御部８０により、３方弁５０及びポンプ５２を制御して、生成した温水を温水配管網６４に供給（αから入力、γから出力）したり、温水配管網６４から温水を受取ってユーザ宅内に供給（γから入力、βから出力）することが可能である。
【００４６】
また、３方弁３０は、調圧器３２（熱交換器３４）を介してガス配管網（水素配管）６０に接続されている。制御部８０により、３方弁３０及び調圧器３２を制御して、生成された排水素をガス配管網６０に供給（ａから入力、ｃから出力）したり、ガス配管網６０から排水素を受取って、熱交換器３４を通して燃料改質装置４６に供給（ｃから入力、ｂから出力）することが可能である。
【００４７】
排水素は高温（ＰＥＦＣの場合は７０〜１００℃、ＳＯＦＣの場合は８００〜１０００℃）であるため、熱交換器（加熱手段）３４によって、貯湯槽２６内の温水の加熱に使用することができる。また、排水素を、燃料改質装置４６を通して燃料電池２０へ供給して発電に使用することもできる。ここで、熱交換器３４は、排熱回収装置２４と一体的に構成することが可能である。例えば、ガス配管網６０から受取った排水素を、排熱回収装置（加熱手段）２４を通して３方弁３０から燃料改質装置４６に供給することが可能である。
【００４８】
図４に示すように、複数のエネルギ生成装置４０が、ガス配管網６０、配電網６２及び温水配管網６４に接続されている。各エネルギ生成装置４０は、制御部８０により、ガス配管網６０を用いた排水素の受取及び供給と、配電網６２を用いた電力の受取及び供給と、温水配管網６４を用いた温水の受取及び供給を行うことが可能である。
【００４９】
例えば、後述するサーバ１０のＣＰＵ１１によって通信手段１７から送信された受取指示（又は供給指示）を、通信装置７２を介してエネルギ生成装置４０で受付け、受付けた受取指示（又は供給指示）に基づいて、制御部８０により、電力，温水，排水素を配電網６２，温水配管網６４，ガス配管網６０から夫々受取る（又は供給する）ことが可能である。
【００５０】
また、制御部８０は、ユーザ宅内での電力及び温水の使用状況、エネルギ生成装置４０の発電及び給湯に関する性能等に基づいて、生成すべき電力及び／又は熱媒体に基づく電力及び／又は熱媒体の不足又は余剰を判定する。ただし、前記生成すべき電力及び／又は熱媒体は、需要が予想される電力及び／又は熱媒体も含む。例えば、電力を使用して温水を使用しない場合、温水は貯湯槽２６の温水量に応じて余剰と判定でき、電力は需要量に応じて不足と判定することができる。制御部８０の制御によって、電力及び／又は温水の不足又は余剰に関する不足情報又は余剰情報を、通信装置７２を介してサーバ１０へ送信する。
【００５１】
サーバ１０は、図５に示すように、ＣＰＵ（Ｃｅｎｔｒａｌ　Ｐｒｏｃｅｓｓｉｎｇ　Ｕｎｉｔ）１１と、ＤＲＡＭ等のＲＡＭ（Ｒａｎｄｏｍ　Ａｃｃｅｓｓ　Ｍｅｍｏｒｙ）１２と、ハードディスク１３と、フレキシブルディスクドライブ又はＣＤ−ＲＯＭドライブ等の外部記憶手段１４と、キーボード又はマウス等の入力手段１５と、モニタ又はプリンタ等の出力手段１６と、通信ネットワーク７４との通信制御を行う通信手段１７とを備える。
【００５２】
ＣＰＵ１１は、サーバ１０の上述した各部１２〜１７の制御を行う。また、ＣＰＵ１１は、入力手段１５又は通信手段１７から受付けたデータ、あるいは、ハードディスク１３又は外部記憶手段１４から読み出したプログラム又はデータ等をＲＡＭ１２に記憶し、ＲＡＭ１２に記憶したプログラムの実行又はデータの演算等の各種処理を行い、各種処理結果又は各種処理に用いる一時的なデータをＲＡＭ１２に記憶する。ＲＡＭ１２に記憶した演算結果等のデータは、ＣＰＵ１１により、ハードディスク１３に記憶されたり、出力手段１６又は通信手段１７から出力される。
【００５３】
サーバ１０の通信手段１７は、エネルギ生成装置４０の電力及び／又は温水（熱媒体）の不足に関する不足情報と、余剰に関する余剰情報とを受付ける手段（受付手段）として動作する。受付けた不足情報及び余剰情報は、ＣＰＵ１１によりハードディスク１３に記憶される。ＣＰＵ１１は、受付けた不足情報及び余剰情報に基づいて、不足分の電力及び／又は温水を供給するエネルギ装置を選択する手段（選択手段）として動作する。
【００５４】
例えば、ハードディスク１３には、不足分の電力及び／又は温水を供給する又は受取るエネルギ装置の選択に使用する選択用情報が記憶されており、ＣＰＵ１１は、前記選択用情報と不足情報及び余剰情報とに基づいて、最適なエネルギ生成装置を選択する。選択用情報は、例えば各エネルギ生成装置の位置関係に関する情報を含み、ＣＰＵ１１は、エネルギが余っているエネルギ生成装置が複数存在する場合は、エネルギが不足しているエネルギ生成装置との距離が近い方を選択する。ＣＰＵ１１の制御によって、選択したエネルギ生成装置への不足分の電力及び／又は温水の供給指示が通信手段１７から送信されると共に、前記不足が生じているエネルギ生成装置への不足分の電力及び／又は温水の受取指示が通信手段１７から送信される。また、送信した受取指示及び供給指示に対応する不足情報及び余剰情報は処理済みとなり、ＣＰＵ１１により更新される。
【００５５】
また、ＣＰＵ１１は、不足分の電力及び／又は温水に対応する排水素の供給量を算出し、算出した供給量に基づく排水素の供給指示及び受取指示を、通信手段１７から送信させる。エネルギ生成装置４０間で、電力又は温水よりも取扱が容易な排水素を用いて、電力及び温水の生成に使用できる排水素を搬送することが可能である。
【００５６】
サーバ１０のハードディスク（記憶部）１３には、エネルギ生成装置４０の発電及び加熱の性能に関する性能情報と、エネルギ生成装置４０が不足分の電力及び温水の供給を行う供給条件とが記憶されている。ＣＰＵ１１は、上述した不足情報及び余剰情報と、前記性能情報及び供給条件を含む選択情報に基づいて、不足分の電力及び／又は温水を供給するエネルギ生成装置を選択する。
【００５７】
サーバ１０は、通信手段１７により、各エネルギ生成装置４０又はユーザ端末７０から、上述した性能情報又は供給条件を受付ける。受付けた性能情報又は供給条件は、ＣＰＵ１１により、ハードディスク１３に記憶される。例えば、月毎の累計駆動時間が所定値を超えない範囲で供給を行うように供給条件を設定したり、月毎のエネルギ使用料金が所定値を超えない範囲で供給を行うように供給条件を設定すること等ができる。
【００５８】
ＣＤ−ＲＯＭ等の記録媒体１９に記録されたコンピュータプログラムを外部記憶手段１４からＲＡＭ１２に読み出してＣＰＵ１１に実行させる、または記録媒体１９に記録されたコンピュータプログラムを外部記憶手段１４で読み出してハードディスク１３に記憶し、ハードディスク１３からＲＡＭ１２に読み出した前記コンピュータプログラムをＣＰＵ１１に実行させることにより、ＣＰＵ１１を上述した各手段として動作させることができる。通信手段１７を用いて、通信ネットワーク７４に接続された他の装置からコンピュータプログラムを受付けてハードディスク１３に記憶することもできる。
【００５９】
次に、本発明に係るエネルギ搬送制御装置を用いたエネルギの搬送制御方法について説明する。エネルギ生成装置４０側のエネルギ搬送に関する処理の例を図６，図７，図８に示す。制御部８０は、ユーザ宅内での電力及び温水の使用状況、エネルギ生成装置４０の発電及び給湯に関する性能等に基づいて、生成すべき電力及び／又は熱媒体に基づく電力及び／又は熱媒体の不足又は余剰を判定する。
【００６０】
図６に示すように、エネルギ生成装置４０の制御部８０は、エネルギが不足すると判断した場合（Ｓ１０：ＹＥＳ）、通信装置７２を介して不足情報をサーバ１０へ送信する（Ｓ１２）。また、制御部８０は、サーバ１０から送信された受取指示を、通信装置７２を介して受信した場合（Ｓ１４：ＹＥＳ）、受取指示に基づいて、エネルギ生成部４２を制御して、電力，温水，排水素の少なくとも１つを、配電網６２，温水配管網６４，ガス配管網６０から受取る（Ｓ１６）。
【００６１】
また、図７に示すように、エネルギ生成装置４０の制御部８０は、エネルギの余剰が生じると判断した場合（Ｓ２０：ＹＥＳ）、通信装置７２を介して余剰情報をサーバ１０へ送信する（Ｓ２２）。また、制御部８０は、サーバ１０から送信された供給指示を、通信装置７２を介して受信した場合（Ｓ２４：ＹＥＳ）、供給指示に基づいて、エネルギ生成部４２を制御して、電力、温水、排水素の少なくとも１つを配電網６２，温水配管網６４，ガス配管網６０に供給する（Ｓ２６）。
【００６２】
図８に示すように、各エネルギ生成部４０からサーバ１０へ、不足情報と余剰情報とを送ることが可能である。また、サーバ１０から各エネルギ生成部４０へ、受取指示と供給指示を送ることが可能である。
【００６３】
サーバ１０側のエネルギ搬送に関する処理の例を図９，図１０に示す。図９に示すように、サーバ１０のＣＰＵ１１は、通信手段１７で不足情報を受付ける等して、エネルギの不足があると判断した場合（Ｓ３０：ＹＥＳ）、ハードディスク１３に記憶されている選択用情報及び余剰情報等に基づいて、不足しているエネルギを供給可能なエネルギ生成装置４０を選択する（Ｓ３２）。例えば、ＣＰＵ１１により、選択用情報（性能情報、供給条件を含む）及び余剰情報を取得し、余剰情報に基づいてエネルギが余っているエネルギ生成装置を選択し、選択したエネルギ生成装置に関する性能情報及び供給条件を確認して、問題が無い場合は前記エネルギ生成装置の選択を決定する。エネルギ生成装置の選択は、例えば余剰分が不足分より大きく、距離があまり離れていないものを選択することが可能である。
【００６４】
供給可能なエネルギ生成装置がある場合は（Ｓ３４：ＹＥＳ）、ＣＰＵ１１の制御により、通信手段１７から前記供給可能なエネルギ生成装置へ供給指示を送信する（Ｓ３６）。また、供給可能なエネルギ生成装置が無い場合は（Ｓ３４：ＮＯ）、ＣＰＵ１１の制御により、通信手段１７から他のサーバへ不足情報を送信する（Ｓ３８）。ここで、前記他のサーバは、サーバ１０と同様に、複数のエネルギ生成装置と接続され、エネルギ生成装置間のエネルギの搬送制御を行う装置である。
【００６５】
また、図１０に示すように、サーバ１０のＣＰＵ１１は、通信手段１７で余剰情報を受付ける等して、エネルギの余剰があると判断した場合（Ｓ４０：ＹＥＳ）、ハードディスク１３に記憶されている選択用情報及び不足情報等に基づいて、余っているエネルギを受取可能なエネルギ生成装置４０を選択する（Ｓ４２）。例えば、ＣＰＵ１１により、選択用情報（性能情報、供給条件を含む）及び不足情報を取得し、不足情報に基づいてエネルギが不足しているエネルギ生成装置を選択し、選択したエネルギ生成装置に関する性能情報を確認して、問題が無い場合は前記エネルギ生成装置の選択を決定する。
【００６６】
受取可能なエネルギ生成装置がある場合は（Ｓ４４：ＹＥＳ）、ＣＰＵ１１の制御により、通信手段１７から前記受取可能なエネルギ生成装置へ受取指示を送信する（Ｓ４６）。また、受取可能なエネルギ生成装置が無い場合は（Ｓ４４：ＮＯ）、ＣＰＵ１１の制御により、通信手段１７から他のサーバへ余剰情報を送信する（Ｓ４８）。
【００６７】
上述した処理により、例えば図１１（ａ）に示すように、不足情報をサーバ１０へ送信したエネルギ生成装置４０ａ、及び、余剰情報をサーバ１０へ送信したエネルギ生成装置４０ｂの夫々に、サーバ１０から、受取指示及び供給指示を送信することにより、例えば図１１（ｂ）に示すように、エネルギ生成装置４０ｂからガス配管網６０へ排水素が供給され、エネルギ生成装置４０ａはガス配管網６０から排水素を受取ることができる。
【００６８】
また、例えば図１２に示すように、サーバ１０間で不足情報及び受取指示と、余剰情報及び供給指示を送受信することも可能である。この場合は、例えば図１３に示すように、エネルギ生成装置４０αから不足情報を受付けたが、不足分を供給できるエネルギ生成装置が選択できなかったサーバ１０αと、エネルギ生成装置４０βから余剰情報を受付けたが、余剰分を受取ることができるエネルギ生成装置が選択できなかったサーバ１０βとの間で、不足情報及び受取指示と余剰情報及び供給指示を送受信し、エネルギ生成装置４０α及び４０βに夫々受取指示及び供給指示を送信することが可能である。この場合は、異なるサーバ１０α、１０βに接続されたエネルギ生成装置４０α、４０β間でエネルギを搬送させることが可能である。
【００６９】
以上、本発明の実施の形態について説明したが、本発明は上述した実施の形態に限定はされず、例えば、排水素の代わりに浄化水素をガス配管網６０に排出すること等も可能である。ガス配管網６０を用いて浄化水素を搬送し、浄化水素を、エネルギ生成装置４０間で融通し合うことが可能である。また、上述した各実施の形態では、貯湯槽２６に温水を蓄え、温水配管網６４で温水を搬送したが、温水の代わりに蒸気を用いることも可能である。
【００７０】
また、エネルギ生成部に、排水素又は水素を貯蔵する小型の水素タンク（水素貯蔵部）を備えることも可能である。水素タンクを備えたエネルギ生成部の例を図１４に示す。図１４に示すエネルギ生成部４４は、図３に示すエネルギ生成部４２の３方弁３０を、燃料電池２０及び燃料改質装置４６間の排水素流路ではなく浄化水素流路に設け、調圧器３２及び３方弁３０間に、水素タンク９０を設けたものである。燃料改質装置４６が生成する水素と燃料電池２０が使用する水素との差分である余剰水素（浄化水素）、又は、深夜電力などの格安の電力を使用して燃料電池２０の逆反応で生成した生成水素（浄化水素）などを水素タンク９０に貯蔵し、燃料改質装置４６の応答遅れを補償することが可能である。
【００７１】
また、ガス配管（水素配管）網６０に排水素又は水素を貯蔵する中型の水素タンクを備えることも可能である。中型の水素タンク（水素ホルダー）を備えたエネルギ搬送システムの例を図１５に示す。図１５に示すエネルギ搬送システムは、図１４に示したエネルギ生成部４４を備えたエネルギ生成装置４５がガス配管網６０に接続されていると共に、ガス配管網６０に水素ホルダー（水素貯蔵部）７２を接続したものである。各エネルギ生成装置４５（エネルギ生成部４４）は、図１４に示した水素タンク９０よりも更に小型のタンクである水素バッファを備えている。また、温水配管網６４には貯湯槽（熱媒体貯蔵部）９６が接続されている。
【００７２】
ガス配管網６０に接続されたエネルギ生成装置４５（エネルギ生成部４４）がガス配管網６０に排出した余剰水素又は生成水素などを水素ホルダー９２に貯蔵することが可能である。また、エネルギ生成部４４は、ガス配管網６０への水素の排出時又は取込時の流体の応答速度変動又は圧力変動などを水素バッファで補償することが可能である。
【００７３】
また、浄化水素を生成する燃料改質装置４６と燃料電池（発電手段）２０部分とを分離することも可能である。燃料改質装置４６と複数の燃料電池２０部分（電池ユニット１００）とを分離したエネルギ搬送システムの例を図１６に示す。図１６の例では、ガス配管網６０に、１台の燃料改質装置４６と、複数（図では２台）の電池ユニット（エネルギ生成部）１００とが、ガス配管網６０を介して接続されている。また、各電池ユニット１００は温水配管網６４に接続されている。
【００７４】
電池ユニット１００は、例えば図３に示した実施の形態と同様の燃料電池２０、空気供給装置４４、変換装置２２、排熱回収装置２４、３方弁５０及びポンプ５２を備える。本説明においては、燃料電池２０は、調圧器１０２を介してガス配管網６０に接続されており、調圧器１０２で取込んだ浄化水素が燃料電池２０に供給される。また、燃料電池２０は、燃料電池２０が排出する排水素を浄化水素に精製する精製装置１０４を介してガス配管網６０に接続されており、精製装置１０４で精製した浄化水素がガス配管網６０に供給される。
【００７５】
また、ガス配管網６０には水素ホルダー９２が接続され、温水配管網６４には貯湯槽（熱媒体貯蔵部）９６が接続されている。各電池ユニット２０の余剰水素又は生成水素などを水素ホルダー９２に貯蔵し、燃料改質装置４６の水素供給の変動を補償することが可能である。また、各電池ユニット２０の余剰温水を貯湯槽９６に貯蔵することが可能である。
【００７６】
マンションなどの集合住宅においては、図１６に示すように、１台の燃料改質装置４６に、複数の電池ユニット１００を接続することが可能である。需要量に合せて燃料改質装置４６数及び電池ユニット１００数は任意に変更することが可能である。複数台の電池ユニット１００に対し、燃料改質装置４６は１台であるため、燃料改質装置４６は高効率で稼動する。燃料改質装置４６の効率を向上させて、システム全体の効率向上を図れる。
【００７７】
水素タンク９０又は水素ホルダー９２を設けることにより、電力の生成の使用したり、熱媒体の加熱に使用できる余剰水素又は余剰排水素を水素タンク９０又は水素ホルダー９２に貯蔵することが可能になる。また、温水配管網６４に貯湯槽９６を設けることにより、各エネルギ生成装置４５（エネルギ生成部４４）の余剰熱媒体を貯蔵することが可能になる。
【００７８】
図１４、図１５又は図１６に示したエネルギ生成部４４又は電池ユニット１００がエネルギ搬送制御システムに含まれる場合、サーバ１０のＣＰＵ１１は、受付けた不足情報及び余剰情報に基づいて、余剰分の熱媒体又は電力に対応する排水素又は水素の蓄積を行うエネルギ生成装置を選択する手段として動作し、通信手段１７から前記選択したエネルギ生成装置へ、余剰分の熱媒体又は電力に対応する排水素又は水素の蓄積指示（排出指示又は貯蔵指示）を送信する。また、ＣＰＵ１１は、受付けた不足情報及び余剰情報に基づいて、余剰分の熱媒体の蓄積を行うエネルギ生成装置を選択する手段として動作し、通信手段１７から前記選択したエネルギ生成装置へ、余剰分の熱媒体の蓄積指示（排出指示又は貯蔵指示）を送信する。
【００７９】
ここで、ＣＰＵ１１は、エネルギ生成部４４（又は電池ユニット１００）が水素タンク９０又は貯湯槽２６を備える場合は、蓄積指示として貯蔵指示を送信する。また、ガス配管網６０に水素ホルダー９２を備える又は温水配管網６４に貯湯槽９６を備える場合は、蓄積指示として排出指示を送信する。エネルギ生成部４４（又は電池ユニット１００）は、制御部８０の制御により、貯蔵指示に応じて水素又は熱媒体の貯蔵を行ったり、排出指示に応じて水素又は熱媒体の排出を行う。
【００８０】
水素タンク９０又は水素ホルダー９２の有無、温水配管網６４の貯湯槽９６の有無、及び、各貯蔵性能などに関する情報は、サーバ１０のハードディスク（記憶部）１３の例えば性能情報などに記憶されている。また、水素タンク９０の貯蔵状況はエネルギ生成装置４５の制御部８０で監視され、水素タンク９０への水素の貯蔵などは制御部８０で制御される。また、水素ホルダー９２に関しても、例えば水素ホルダー９２に一番近いエネルギ生成装置４５の制御部８０などにより、水素タンク９０の制御と同様な監視及び制御が行われる。水素タンク９０又は水素ホルダー９２の監視結果は、制御部８０の制御によって、通信Ｉ／Ｆ８２からサーバ１０に送信される。サーバ１０のＣＰＵ１１は、受付けた監視結果（貯蔵状況）をハードディスク１３に記憶する。
【００８１】
エネルギ生成装置４５（エネルギ生成部４４）側のエネルギ搬送に関する処理の例を図１７に示す。図１７に示す処理Ｓ２０、Ｓ２２、Ｓ２４及びＳ２６は、図７と同様の処理である。サーバ１０から送信された蓄積指示を、通信装置７２を介して受信した場合（Ｓ２４：ＮＯ、Ｓ２５：ＹＥＳ）、制御部１０は、蓄積指示（貯蔵指示又は排出指示）に基づいて、エネルギ生成部４４（電池ユニット１００）を制御して、水素又は温水を蓄積（貯蔵又は排出）させる（Ｓ２７）。
【００８２】
サーバ１０側のエネルギ搬送に関する処理の例を図１８に示す。図１８に示す処理Ｓ４０、Ｓ４２，Ｓ４４、Ｓ４６及びＳ４８は、図１０と同様の処理である。受取可能なエネルギ生成装置がない場合（Ｓ４４：ＮＯ）、蓄積が可能であれば（Ｓ４７：ＹＥＳ）、ＣＰＵ１１の制御により、通信手段１７からエネルギが余っているエネルギ生成装置へ、蓄積指示（貯蔵指示又は排出指示）を送信する（Ｓ４９）。蓄積が可能か否かは、制御部８０から受付けた蓄積状況の監視結果（貯蔵状況）と性能情報の蓄積性能（最大貯蔵量）とに基づいて判定可能である。また、受取可能なエネルギ生成装置が無く、さらに蓄積が行えない場合は（Ｓ４４：ＮＯ、Ｓ４７：ＮＯ）、通信手段１７から他のサーバへ余剰情報を送信する（Ｓ４８）。
【００８３】
上述した実施の形態においては、同一サーバ１０に接続されたエネルギ生成装置４０はサーバ１０を介して情報を送受信しているが、サーバ１０を介さずにエネルギ生成装置４０どうしで直接情報を送受信することも可能である。
【００８４】
【発明の効果】
第１，第８，第９，第１６，第２３発明によれば、電力及び／又は熱媒体の不足に関する不足情報を受付け、不足分の電力及び／又は熱媒体を供給するエネルギ装置を選択して供給指示を送信すると共に、前記不足が生じているエネルギ生成装置に受取指示を送信することにより、供給指示を受付けたエネルギ生成装置から受取指示を受け付けたエネルギ生成装置へ、不足分のエネルギを搬送することができる。
【００８５】
第２，第１０，第１７発明によれば、電力及び／又は熱媒体の余剰に関する余剰情報を受付け、受付けた不足情報及び余剰情報に基づいて、不足分の電力及び／又は熱媒体を供給するエネルギ生成装置を選択することにより、電力及び／又は熱媒体が余っているエネルギ生成装置から不足しているエネルギ生成装置へ、電力及び／又は熱媒体を搬送することができる。
【００８６】
第３，第１１，第１８発明によれば、エネルギ生成装置の発電及び加熱の性能に関する情報に基づいて、不足分の電力及び／又は熱媒体を供給するエネルギ生成装置を選択することにより、エネルギ生成装置の性能に応じて、他のエネルギ生成装置に供給する電力及び／又は熱媒体に制限を設けること等ができる。
【００８７】
第４，第１２，第１９発明によれば、エネルギ生成装置が不足分の電力及び熱媒体の供給を行う条件に基づいて、不足分の電力及び／又は熱媒体を供給するエネルギ生成装置を選択することにより、エネルギ生成装置が設けられた家庭の事情等に応じて、他のエネルギ生成装置に電力及び／又は熱媒体を供給する条件を設定することができる。
【００８８】
第５，第１３，第２０発明によれば、電力及び／又は熱媒体に対応する排水素又は水素の供給指示及び受取指示を送信することにより、電力及び熱媒体に比べて取り扱いが容易な排水素又は水素を用いて、電力及び／又は熱媒体の搬送を行うことができる。
【００８９】
第６、第７、第１４、第１５、第２１又は第２２発明によれば、余剰分の熱媒体又は電力に対応する排水素又は水素を水素貯蔵部に貯蔵することにより、貯蔵した排水素又は水素を、熱媒体又は電力が不足するエネルギ生成装置が使用することが可能である。また、余剰分の熱媒体又は電力に対応する排水素又は水素を排出して水素貯蔵部に蓄積したり、余剰分の熱媒体を排出して熱媒体貯蔵部に蓄積することにより、蓄積した熱媒体、排水素又は水素を、熱媒体又は電力が不足するエネルギ生成装置が使用することが可能である。
【図面の簡単な説明】
【図１】本発明に係るエネルギ搬送制御システムの例を示すブロック図である。
【図２】エネルギ生成装置の例を示すブロック図である。
【図３】エネルギ生成部の例を示すブロック図である。
【図４】本発明に係るエネルギ搬送制御装置で制御するエネルギ搬送システムの例を示すブロック図である。
【図５】サーバの例を示すブロック図である。
【図６】エネルギ生成装置側のエネルギ搬送に関する処理の例を示すフローチャートである。
【図７】エネルギ生成装置側のエネルギ搬送に関する処理の例を示すフローチャートである。
【図８】エネルギ搬送に関する処理の例を示す図である。
【図９】サーバ側のエネルギ搬送に関する処理の例を示すフローチャートである。
【図１０】サーバ側のエネルギ搬送に関する処理の例を示すフローチャートである。
【図１１】エネルギ搬送に関する処理の例を示す図である。
【図１２】エネルギ搬送に関する処理の例を示す図である。
【図１３】エネルギ搬送に関する処理の例を示す図である。
【図１４】エネルギ生成部の他の例を示すブロック図である。
【図１５】図１４に示すエネルギ生成部を用いたエネルギ搬送システムの例を示すブロック図である。
【図１６】燃料改質装置と複数の燃料電池部分（電池ユニット）とを分離したエネルギ搬送システムの例を示すブロック図である。
【図１７】エネルギ生成装置側のエネルギ搬送に関する処理の他の例を示すフローチャートである。
【図１８】サーバ側のエネルギ搬送に関する処理の他の例を示すフローチャートである。
【符号の説明】
１０　サーバ（エネルギ搬送制御装置、情報処理装置）
１１　ＣＰＵ（選択手段）
１３　ハードディスク（記憶部）
１７　通信手段（受付手段）
２０　燃料電池（発電手段）
２４　排熱回収装置（加熱手段）
３４　熱交換器（加熱手段）
４０、４５　エネルギ生成装置
６０　ガス配管網（水素配管）
６２　配電網（送電線）
６４　温水配管網（熱媒体用配管）
８０　制御部
９０　水素タンク（水素貯蔵部）
９２　水素ホルダー（水素貯蔵部）
９６　貯湯槽（熱媒体貯蔵部）
１００　電池ユニット（発電手段）
【図１】
2004007963.tif 000003
【図２】
2004007963.tif 000004
【図３】
2004007963.tif 000005
【図４】
2004007963.tif 000006
【図５】
2004007963.tif 000007
【図６】
2004007963.tif 000008
【図７】
2004007963.tif 000009
【図８】
2004007963.tif 000010
【図９】
2004007963.tif 000011
【図１０】
2004007963.tif 000012
【図１１】
2004007963.tif 000013
【図１２】
2004007963.tif 000014
【図１３】
2004007963.tif 000015
【図１４】
2004007963.tif 000016
【図１５】
2004007963.tif 000017
【図１６】
2004007963.tif 000018
【図１７】
2004007963.tif 000019
【図１８】
2004007963.tif 000020